【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
下方向に閉鎖される筒状本体（１０）を有するタイプの缶用の閉鎖装置において、上方縁部（１２）が設けられた周囲側壁（１１）、ならびに、筒状本体（１０）に関して内部にあり、缶の上方開口部（１４）と、密閉要素（２０）を着座させるための着座部（１５）とを画定するために、周囲側壁（１１）に密閉して結合されている構造的環状部（１３）を備える閉鎖装置であって、
構造的環状部（１３）が、周囲側壁（１１）の上方端部（１２）に対して軸線方向後ろに離隔された、筒状本体（１０）の中に径方向に突出している周囲側壁（１１）の凹部によって形成された円周リブ（１６）によって画定されることを特徴とする、閉鎖装置。
【請求項２】
円周リブ（１６）が、平面である、缶の軸線に対して一般に直角である上方面（１６ａ）を有し、密閉要素（２０）が、円周リブ（１６）の上方面（１６ａ）に取り外し可能に接着されているフィルム（２１）によって画定されることを特徴とする、請求項１に記載の閉鎖装置。
【請求項３】
円周リブ（１６）が、概ね水平方向の「Ｕ」形態断面を有し、その側方脚部が相互と平行であることを特徴とする、請求項２に記載の閉鎖装置。
【請求項４】
円周リブ（１６）が、丸みの付いた頂部を備えた、また、缶の軸線方向に対して垂直に配設される円周リブ（１６）の上方面（１６ａ）を画定している側方脚部を備えた、概ね水平方向の「Ｖ」形態断面を有することを特徴とする、請求項２に記載の閉鎖装置。
【請求項５】
覆蓋（３０）であって、円周リブ（１６）のレベルよりも上で、筒状本体（１０）の内部に収容される中央陥凹部分（３１）によって、また缶の筒状本体（１０）の周囲側壁（１１）の上方縁部（１２）の上にしっかりと嵌め合わされるように寸法決めされている周囲部分（３２）によって、単一部片に形成された覆蓋（３０）を備えることを特徴とする、請求項２に記載の閉鎖装置。
【請求項６】
周囲側壁（１１）の上方縁部（１２）が、缶の筒状本体（１０）の周囲側壁（１１）の上方縁部（１２）の外側に一体化された筒状リブ（１７）を画定するように、外向き、下向き、および内向きに屈曲されていることを特徴とする、請求項５に記載の閉鎖装置。
【請求項７】
筒状リブ（１７）が円形の断面を有することを特徴とする、請求項６に記載の閉鎖装置。
【請求項８】
覆蓋（３０）の周囲部分（３２）が、円周リブ（１６）と上方縁部（１２）との間に画定された周囲側壁（１１）の一部分の内側面に対して着座される径方向内部壁（３２ａ）と、前記上方縁部（１２）に着座される基部壁（３２ｂ）と、筒状リブ（１７）に対して着座される径方向外部壁（３２ｃ）とを有する、概ね反転された「Ｕ」の形態の断面を有することを特徴とする、請求項６に記載の閉鎖装置。
【請求項９】
覆蓋（３０）の周囲部分（３２）の径方向外部壁（３２ｃ）が、外側の筒状湾曲部（３３）を一体的に有する下方自由端縁部を有することを特徴とする、請求項８に記載の閉鎖装置。
【請求項１０】
円周リブ（１６）が、凸状円弧を画定するように構成された内側縁部（１６ｂ）を有し、密閉要素（２０）が、基部壁（２３）と、缶の上方開口部（１４）の上に画定された、筒状本体（１０）の周囲側壁（１１）の一部分に着座される上方縁部（２５）を有する周囲壁（２４）と、径方向に外向きに向けられた凹状円弧の形態の断面を有し、その中で、蓋（２２）が着座部（１５）に着座される際に円周リブ（１６）の内側縁部（１６ｂ）に嵌るように構成された円周凹部（２６）とを単一部片として備える蓋（２２）によって画定されることを特徴とする、請求項１に記載の閉鎖装置。
【請求項１１】
円周リブ（１６）の内側縁部（１６ｂ）が、円形凸状円弧に構成され、円周凹部（２６）の断面は円形凹状円弧によって画定されることを特徴とする、請求項１０に記載の閉鎖装置。
【請求項１２】
円周リブ（１６）が、概ね、平坦な「Ｕ」と「Ｖ」の輪郭のいずれか一方の形態の断面を有し、円周リブ（１６）の内側縁部（１６ｂ）が、「Ｕ」の輪郭の基部分と「Ｖ」の輪郭の頂部とのうちの一方に形成されていることを特徴とする、請求項１０に記載の閉鎖装置。
【請求項１３】
円周リブ（１６）が上方環状面（１６ａ）を有し、蓋（２２）の周囲壁（２４）が、円周リブ（１６）の上方面（１６ａ）に対して着座される径方向環状部分（２４ａ）、ならびに、円周リブ（１６）とその上方縁部（１２）との間に画定された周囲側壁（１１）に対して着座される軸方向上方部分（２４ｂ）を有することを特徴とする、請求項１０に記載の閉鎖装置。
【請求項１４】
筒状本体（１０）の円周リブ（１６）と蓋（２２）の円周凹部（２６）との間に取り付けられる、弾性変形可能な材料の密封要素（５０）を備えることを特徴とする、請求項１０に記載の閉鎖装置。
【請求項１５】
密閉要素（５０）が、蓋（２２）の円周凹部（２６）の径方向拡張部の少なくとも一部を覆う環状ガスケットの形態であることを特徴とする、請求項１０に記載の閉鎖装置。
【請求項１６】
蓋（２２）の周囲壁（２４）の上方縁部（１２）が、缶の筒状本体（１０）の周囲側壁（１１）の上方縁部（１２）に着座される外部筒状リブ（３３）を一体的に有することを特徴とする、請求項１３に記載の閉鎖装置。
【請求項１７】
筒状本体（１０）の周囲側壁（１１）の上方縁部（１２）が、蓋（２２）の周囲壁（２４）の外部筒状リブ（３３）が着座される筒状リブ（１７）を、外側に一体的に有することを特徴とする、請求項１６に記載の閉鎖装置。
【請求項１８】
筒状本体（１０）の周囲側壁（１１）の上方縁部（１２）が筒状リブ（１７）を外側に有しており、蓋（２２）の周囲壁（２４）の上方縁部（１２）が、筒状本体（１０）のまわりに、その周囲側壁（１１）の筒状リブ（１７）の直ぐ下でしっかりと着座され、蓋（２２）が最初に開けられる際に特定の力を受けるとき手で壊されるブリッジ（２８ｂ）によって、蓋（２２）の周囲壁（２４）の上方縁部（１２）に上方で結合されている下方スカート（２８ａ）を備えるシール（２８）の拡張部を一体的に有することを特徴とする、請求項１３に記載の閉鎖装置。
【請求項１９】
筒状本体（１０）の周囲側壁（１１）の上方壁（１２）が、周囲側壁（１１）の上方縁部（１２）の外側に一体化された、円周リブ（１６）を越えて下向きに拡張して円周リブ（１６）を形成する凹部を覆う筒状リブ（１７）を画定するように外向き、下向き、および内向きに屈曲されることを特徴とする、請求項１に記載の閉鎖装置。
【請求項２０】
筒状リブ（１７）が、内向きおよび上向きに屈曲され、円周リブ（１６）の下で、筒状本体（１０）の周囲側壁（１１）に隣接して配設された下方自由端部分（１７ａ）を有することを特徴とする、請求項１９に記載の閉鎖装置。
【請求項２１】
筒状リブ（１７）の下方自由端部分（１７ａ）が、上向きに屈曲された、筒状本体（１０）の周囲側壁（１１）に対して側方から着座される端域（１７ｂ）を有することを特徴とする、請求項１９に記載の閉鎖装置。
【請求項２２】
筒状リブ（１７）が缶の軸線方向に楕円形であることを特徴とする、請求項１９に記載の閉鎖装置。
【請求項２３】
筒状リブ（１７）が、円周リブ（１６）が一体化された周囲側壁（１１）の区域に、筒状本体（１０）の周囲側壁（１１）と実質的に平行な中央拡張部（１７ｃ）を有することを特徴とする、請求項１９に記載の閉鎖装置。